(57)【要約】【課題】本発明は除湿装置に関するもので、効果的な排熱対策がとれることを目的とするものである。【解決手段】そしてこの目的を達成するために本発明は、吸気口２と、第一の排気口３、第二の排気口４を有する本体ケース１と、この本体ケース１内にヒートポンプ５と、熱交換器１０とを備え、ヒートポンプ５は、圧縮機６、放熱器７、膨張手段８、吸熱器９とにより形成し、放熱器７と、吸熱器９との間の空間に熱交換器１０を設け、吸気口２から本体ケース１内に吸気した空気を放熱器７の一方部を順次介して第一の排気口３へと送風する第一の送風手段１３と、吸気口２から本体ケース１内に吸気した空気を熱交換器１０、吸熱器９、熱交換器１０、放熱器７の他方部を順次介して第二の排気口４へと送風する第二の送風手段１４とを設け、第一の排気口３に、屋外と連通する連通手段１５を備えた構成とした。【選択図】図１
2011147836.tif 000002
【特許請求の範囲】
【請求項１】
吸気口と、第一、第二の排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記本体ケース内の前記放熱器と、前記吸熱器との間の空間に前記熱交換器を設け、前記吸気口から前記本体ケース内に吸気した空気を前記放熱器の一方部を介して前記第一の排気口へと送風する第一の送風手段と、前記吸気口から前記本体ケース内に吸気した空気を前記熱交換器、前記吸熱器、前記熱交換器、前記放熱器の他方部を順次介して前記第二の排気口へと送風する第二の送風手段とを設け、前記第一の排気口に、屋外と連通する連通手段を備えた除湿装置。
【請求項２】
前記熱交換器から前記吸熱器に流れる空気は、前記熱交換器の上面部より流入して、前記熱交換器の下面部より流出して、前記熱交換器および前記吸熱器の下方を通り、前記吸熱器の一方側面部より流入する構成で、前記熱交換器の下面部は、前記吸熱器側が上になるように傾斜した請求項１に記載の除湿装置。
【請求項３】
前記熱交換器および前記吸熱器の下方にドレンパンを設け、このドレンパンは、前記吸熱器側が下になるように傾斜した請求項１または２に記載の除湿装置。
【請求項４】
前記熱交換器および前記吸熱器の下方にドレンパンを設け、このドレンパンは、略Ｖ字形状である請求項１または２に記載の除湿装置。
【請求項５】
前記放熱器の一方部は、前記放熱器の他方部の上方に位置し、前記圧縮機から前記放熱器に向かう冷媒管は、放熱器の一方部の上部に繋がる構成とした請求項１〜４のいずれか一つに記載の除湿装置。
【請求項６】
前記吸気口から前記放熱器の一方部へ風路の下面に、前記熱交換器の前記上面部が位置し、前記上面部は、前記放熱器側が上になるように傾斜した請求項１〜５のいずれか一つに記載の除湿装置。
【請求項７】
前記熱交換器と前記吸熱器との距離は、前記熱交換器と前記放熱器の他方部との距離より短い構成とした請求項１〜６のいずれか一つに記載の除湿装置。
【請求項８】
熱交換器は、前記熱交換器の前記上面部から前記下面部へ繋がる垂直風路を複数備え、前記放熱器側の前記垂直風路の断面積は、前記吸熱器側の前記垂直風路の断面積より大きい構成とした、請求項１〜７のいずれか一つに記載の除湿装置。
【請求項９】
前記第二の送風手段は、スクロール形状の第二のケーシングと、この第二のケーシング内に設けられた第二の羽根と、この第二の羽根を回転させる第二の電動機とから形成し、前記第二のケーシングの吸込口の中心部は、前記吸熱器の上部に位置する構成とした請求項１〜８のいずれか一つに記載の除湿装置。
【請求項１０】
前記熱交換器は、前記熱交換器の一方側面部から他方側面部へ繋がる水平風路を複数備え、前記熱交換器の上部側の前記水平風路の断面積は、前記熱交換器の下部側の前記水平風路の断面積より大きい構成とした、請求項１〜９のいずれか一つに記載の除湿装置。
【発明の詳細な説明】
【技術分野】
【０００１】
本発明は、ヒートポンプを用いた除湿装置に関するものである。
【背景技術】
【０００２】
従来のこの種除湿装置の構造は、以下のようになっていた。
【０００３】
すなわち、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記吸熱器、前記放熱器を順次介して排気口へと送風する送風手段を備えた構成となっていた（例えば下記特許文献１）。
【先行技術文献】
【特許文献】
【０００４】
【特許文献１】特開昭５９−１５０２３１号公報
【発明の概要】
【発明が解決しようとする課題】
【０００５】
上記従来例における課題は、除湿運転時に室内温度が上昇してしまうので快適性に欠けるということであった。
【０００６】
すなわち、従来の物においては、室内を除湿する場合には、ヒートポンプは、まず、圧縮機で冷媒を高温高圧の気体状態にし、この冷媒が放熱器に流れ、この放熱器に空気を当て、放熱器を冷却することにより、冷媒は熱が奪われ液化し、次に、放熱器で液化された冷媒を膨張手段により低圧にすることによって気液２層状態にし、最後に、この気液２層状態の冷媒を吸熱器に流す。すると吸熱器は冷却されるので、この吸熱器に室内の空気を当てれば、結露させ、除湿することができる。ここで、吸熱器での除湿効率を上げるためには、放熱器に室内空気を送風することで効率よく冷却させる必要がある。しかし、放熱器を冷却することにより、この空気は温度上昇し、これが室内に放出される。例えば除湿を行う梅雨時において、前記温度上昇した空気が室内に放出されると、室内温度が上昇してしまい、快適性に欠けるものになる。
【０００７】
そこで本発明は、快適性の向上を目的とするものである。
【課題を解決するための手段】
【０００８】
そしてこの目的を達成するために本発明は、吸気口と、第一、第二の排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記本体ケース内の前記放熱器と、前記吸熱器との間の空間に前記熱交換器を設け、前記吸気口から前記本体ケース内に吸気した空気を前記放熱器の一方部を介して前記第一の排気口へと送風する第一の送風手段と、前記吸気口から前記本体ケース内に吸気した空気を前記熱交換器、前記吸熱器、前記熱交換器、前記放熱器の他方部を順次介して前記第二の排気口へと送風する第二の送風手段とを設け、前記第二の排気口に、屋外と連通する連通手段を備えたものであり、これにより初期の目的を達成するものである。
【発明の効果】
【０００９】
以上のように本発明は、吸気口と、第一、第二の排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記本体ケース内の前記放熱器と、前記吸熱器との間の空間に前記熱交換器を設け、前記吸気口から前記本体ケース内に吸気した空気を前記放熱器の一方部を介して前記第一の排気口へと送風する第一の送風手段と、前記吸気口から前記本体ケース内に吸気した空気を前記熱交換器、前記吸熱器、前記熱交換器、前記放熱器の他方部を順次介して前記第二の排気口へと送風する第二の送風手段とを設け、前記第一の排気口に、屋外と連通する連通手段を備えたものであるので、快適性の向上を図ることができる。
【００１０】
すなわち、除湿動作においては、まず、圧縮機で冷媒を高温高圧の気体状態にし、この冷媒が放熱器に流れる。そして、この放熱器を第一、第二の送風手段による送風で冷却することにより、冷媒は熱が奪われ液化する。次に、放熱器で液化された冷媒を膨張手段により低圧にすることによって気液２層状態にし、最後に、この気液２層状態の冷媒を吸熱器に流す。この吸熱器に第二の送風手段によって室内の空気を当て結露させることにより、除湿するものである。ここで、第二の送風手段によって室内の空気は、吸気口から熱交換器を介して吸熱器に流れ、再度熱交換器、放熱器を順次介して第二の排気口から室内に排気される。つまり、最初に室内の空気は、吸熱器から熱交換器を介して放熱器に流れる空気と、熱交換器で熱交換することにより冷却され、更に吸熱器で冷却されるので、熱交換器および吸熱器の両方で結露することにより除湿するものである。また、第一の送風手段によって、放熱器を冷却後温度上昇した空気は、第一の排気口から連通手段を介して屋外へ排気するものである。
【００１１】
つまり、室内温度の上昇を低減する共に、除湿効率の向上ができ、この結果、快適性を向上することができる。
【図面の簡単な説明】
【００１２】
【図１】本発明の実施の形態１を示す概略断面を示す図
【図２】本発明の実施の形態１を示す熱交換器の概略断面を示す図
【発明を実施するための形態】
【００１３】
以下、本発明の実施形態について図面を参照しながら説明する。
【００１４】
（実施の形態１）
図１に示すように、本実施形態の除湿装置は、１は略箱形状の本体ケースであり、この本体ケース１の前面側側面には、略四角形状の吸気口２を設け、また本体ケース１の背面側側面には、略円筒形状の第一の排気口３を設け、さらに本体ケース１の背面寄り天面には、略四角形状の第二の排気口４を設けている。この本体ケース１内には、ヒートポンプ５を備え、このヒートポンプ５は、圧縮機６と、圧縮機６の下流に順次設けた放熱器７、膨張手段８、吸熱器９とにより形成している。
【００１５】
本実施形態における特徴は、本体ケース１内の放熱器７と、吸熱器９との間の空間に熱交換器１０を設け、吸気口２から本体ケース１内に吸気した空気を放熱器７の一方部を介して第一の排気口３へと送風する第一の送風手段１３と、吸気口２から本体ケース１内に吸気した空気を熱交換器１０、吸熱器９、熱交換器１０、放熱器７の他方部を順次介して第二の排気口４へと送風する第二の送風手段１４とを設け、第一の排気口３に、屋外と連通する連通手段１５を備えた点である。
【００１６】
具体的には、吸熱器９と放熱器７との間に熱交換器１０を備えている。図２に、この熱交換器１０の概略図を示す。熱交換器１０は、垂直方向に連通する複数の垂直風路１１と、水平方向に連通する複数の水平風路１２とが交互に隣り合うように形成されている。ここで、隣り合う垂直風路１１と水平風路１２とを流れる空気の顕熱が交換されるものである。
【００１７】
放熱器７と第一の排気口３との間の風路に第一の送風手段１３を設け、この第一の送風手段１３によって、吸気口２から本体ケース１内に吸気した空気を放熱器７の一方部である上部放熱器７ａを介して第一の排気口３へと送風する。この第一の排気口３には、屋外と連通する連通手段１５を備えている。連通手段１５は、第一の排気口３に設けられ、柔軟性のある中空形状で、本体ケース１と屋外とを連通し、円筒形状のフレキシブルなパイプ１５ａで、このパイプ１５ａの外周部に断熱部分である断熱材１５ｂを巻いたものである。このパイプ１５ａの一端を第一の排気口３に接続し、他端を室内の壁に設けた孔、例えば、エアコン配管用の孔から屋外に出すものである。このように、本体ケース１の第一の排気口３と屋外とを連通する場合に、柔軟性のあるパイプ１５ａなので、配管作業を容易に行うことが出来、パイプ１５ａ内での結露を抑制できる。
【００１８】
放熱器７と第二の排気口４との間の風路に第二の送風手段１４を設け、この第二の送風手段１４によって、吸気口２から本体ケース１内に吸気した空気を熱交換器１０の垂直風路１１、吸熱器９、熱交換器１０の水平風路１２、放熱器７の他方部である下部放熱器７ｂを順次介して第二の排気口４へと送風する。
【００１９】
すなわち、除湿動作においては、まず、圧縮機６で冷媒を高温高圧の気体状態にし、この冷媒が放熱器７に流れる。この放熱器７を第一、第二の送風手段によって送風される室内空気によって冷却することにより、冷媒は熱が奪われ液化する。次に、放熱器７で液化された冷媒を膨張手段８により低圧にすることによって気液２層状態にし、最後に、この気液２層状態の冷媒を吸熱器９に流し、この吸熱器９に第二の送風手段によって室内の空気を当て結露させることにより、除湿するものである。ここで、第二の送風手段１４によって室内の空気は、吸気口２から熱交換器１０の垂直風路１１を介して吸熱器９に流れ、熱交換器１０の水平風路１２、放熱器７を順次介して第二の排気口４から室内に排気される。つまり、最初に室内の空気は、吸熱器９から熱交換器１０の水平風路１２を介して放熱器７に流れる空気と、熱交換器１０の垂直風路１１で熱交換することにより冷却され、更に吸熱器９で冷却されるので、熱交換器１０および吸熱器９の両方で結露することにより除湿するものである。また、第一の送風手段１３によって、放熱器７を冷却したことにより温度上昇した空気は、第一の排気口３から連通手段１５を介して屋外へ排気するものである。
【００２０】
つまり、室内温度の上昇を低減する共に、除湿効率の向上ができ、この結果、快適性を向上することができる。
【００２１】
また、熱交換器１０から吸熱器９に流れる空気は、熱交換器１０の上面部１０ａより流入して、熱交換器１０の下面部１０ｂより流出して、熱交換器１０および吸熱器９の下方を通り、吸熱器９の一方側面部より流入する構成で、熱交換器１０の下面部１０ｂは、吸熱器９側が上になるように傾斜したものである。具体的には、熱交換器１０は、略縦長直方体形状で、垂直方向に連通する複数の垂直風路１１と、水平方向に連通する複数の水平風路１２とが交互に隣り合うように形成されている。この熱交換器１０から吸熱器９に流れる空気は、最初に、吸気口２から本体ケース１内に吸気した空気が、熱交換器１０の上面部１０ａより流入して、複数の垂直風路１１を介して、熱交換器１０の下面部１０ｂより流出する。次に、熱交換器１０の下方を通り、この熱交換器１０の下流側吸熱器側面部９ｂに隣接して配置された吸熱器９の下方を通り、吸熱器９の一方側面部、つまり吸熱器９の風路上流側である上流側吸熱器側面部９ａより、吸熱器９へ流入する。ここで、熱交換器１０の下面部１０ｂは、吸熱器９側が上になるように傾斜したものである。つまり、熱交換器１０の下面部１０ｂは吸熱器９から放熱器７に近づくにつれて下方向へ傾斜するものである。
【００２２】
すなわち、熱交換器１０から吸熱器９に流れる空気は、熱交換器１０の傾斜した下面部１０ｂより流出するので、垂直方向における異なる位置から略水平方向に流れ、吸熱器９の下方を通り、吸熱器９の上流側吸熱器側面部９ａより、吸熱器９へ流入する。これにより、空気は熱交換器１０の傾斜した下面部１０ｂより均一に流出し易くなり、複数の垂直風路１１を均一に流れ易くなる。結果として、吸熱器９から熱交換器１０の水平風路１２を介して放熱器７に流れる空気と、熱交換器１０の垂直風路１１を流れる空気との熱交換効率を向上することができる。
【００２３】
また、熱交換器１０および吸熱器９の下方にドレンパン１６を設け、このドレンパン１６は、吸熱器９側が下になるように傾斜したものである。具体的には、ドレンパン１６は、熱交換器１０から吸熱器９に近づくにつれて下方向に傾斜している。つまり、熱交換器１０の傾斜した下面部１０ｂと逆方向に傾斜している。結果として、ドレンパン１６と、熱交換器１０の傾斜した下面部１０ｂとの距離は、放熱器７から吸熱器９に近づくにつれて、より大きくなるものである。
【００２４】
すなわち、熱交換器１０の傾斜した下面部１０ｂから吸熱器９への風路断面積が大きくなるので、熱交換器１０の下面部１０ｂから吸熱器９への風路抵抗を低減できる。
【００２５】
また、熱交換器１０および吸熱器９の下方にドレンパン１６を設け、このドレンパン１６は、略Ｖ字形状である。具体的には、吸熱器９の下方に位置するドレンパン１６は、吸熱器９と熱交換器１０の間から熱交換器１０より離れるにつれて上方向に傾斜し、熱交換器１０の下方に位置するドレンパン１６は、吸熱器９と熱交換器１０の間から吸熱器９より離れるにつれて上方向に傾斜している。
【００２６】
すなわち、熱交換器１０の傾斜した下面部１０ｂから吸熱器９と熱交換器１０の間への風路断面積が大きくなるので、熱交換器１０の下面部１０ｂから吸熱器９への風路抵抗を低減でき、吸熱器９と熱交換器１０の間から、吸熱器９の下方を通り、吸熱器９の上流側吸熱器側面部９ａに繋がる風路は、徐々に上方向に傾斜しているので、吸熱器９の下方から吸熱器９の上流側吸熱器側面部９ａの上方に流れ易くなる。
【００２７】
また、放熱器７の一方部は、放熱器７の他方部の上方に位置し、圧縮機６から放熱器７に向かう冷媒管は、放熱器７の一方部の上部に繋がる構成としたものである。具体的には、放熱器７は、放熱器７の一方部である上部放熱器７ａと放熱器７の他方部である下部放熱器７ｂとから形成している。上部放熱器７ａは下部放熱器７ｂの上部に位置すると共に、吸気口２と第一の送風手段１３との間の風路に設けられている。圧縮機６から放熱器７に向かう冷媒管は、放熱器７の一方部である上部放熱器７ａの上部に繋がり、放熱器７から膨張手段８に向かう冷媒管は、放熱器７の他方部である下部放熱器７ｂの下部に繋がっている。
【００２８】
すなわち、圧縮機６から放熱器７に向かう冷媒管は、放熱器７の一方部である上部放熱器７ａの上部に繋がっており、上部放熱器７ａは下部放熱器７ｂに比べ温度が高いものである。ここで、第一の送風手段１３によって、上部放熱器７ａを冷却した空気は、第一の排気口３から連通手段１５を介して屋外へ排気するので、効率よく放熱器７の熱量を排気でき、室内温度の上昇を低減することができる。
【００２９】
また、吸気口２から放熱器７の一方部へ風路の下面に、熱交換器１０の上面部１０ａが位置し、上面部１０ａは、放熱器７側が上になるように傾斜したものである。具体的には、吸気口２から放熱器７の一方部である上部放熱器７ａへ風路の下面に、熱交換器１０の上面部１０ａが位置し、熱交換器１０の上面部１０ａは、吸熱器９と熱交換器１０の間から吸熱器９から放熱器７に近づくにつれて上方向に傾斜している。
【００３０】
すなわち、第二の送風手段１４によって室内の空気は、吸気口２から熱交換器１０の上面部１０ａから、複数の垂直風路１１を介して、熱交換器１０の下面部１０ｂから吸熱器９に流れる。ここで、吸気口２から放熱器７の上部放熱器７ａへの風路の下面に、熱交換器１０の上面部１０ａが位置し、上面部１０ａは吸熱器９側より放熱器７側が上になるように傾斜しているので、吸気口２から上部放熱器７ａへ流れる空気の一部が、上面部１０ａ全体に当たる。このため、熱交換器１０の上面部１０ａからより均一に複数の垂直風路１１に流れ易くなる。結果として、吸熱器９から熱交換器１０の水平風路１２を介して放熱器７に流れる空気と、熱交換器１０の垂直風路１１を流れる空気との熱交換効率を向上することができる。
【００３１】
また、熱交換器１０と吸熱器９との距離は、熱交換器１０と放熱器７の他方部との距離より短い構成としたものである。具体的には、熱交換器１０は、吸熱器９と放熱器７との間の風路に設けており、吸熱器９の風路下流側である下流側吸熱器側面部９ｂと、熱交換器１０の水平風路１２の風路上流側である上流側熱交換器側面部１０ｃとの距離は、熱交換器１０の水平風路１２の風路下流側である下流側熱交換器側面部１０ｄと、放熱器７である下部放熱器７ｂの風路上流側である上流側熱交換器側面部１０ｃとの距離より短い構成としたものである。
【００３２】
すなわち、熱交換器１０と吸熱器９との距離は、熱交換器１０と放熱器７との距離より短いので、熱交換器１０は、放熱器７より吸熱器９からの熱の影響を受けやすい。つまり、室内の空気は、吸熱器９から熱交換器１０の水平風路１２を介して放熱器７に流れる空気と、熱交換器１０の垂直風路１１で熱交換することにより冷却されると共に、吸熱器９からの冷気により、熱交換器１０が更に冷やされ、結果として、熱交換器１０の垂直風路１１を通過する空気を冷却し、結露させ除湿することができる。
【００３３】
また、熱交換器１０は、熱交換器１０の上面部１０ａから下面部１０ｂへ繋がる垂直風路１１を複数備え、放熱器７側の垂直風路１１の断面積は、吸熱器９側の垂直風路１１の断面積より大きい構成としたものである。具体的には、熱交換器１０は、本体ケース１における前後方向に複数の垂直風路１１が隣接して形成した垂直風路部１７が本体ケース１における左右方向に複数位置する。これらの隣り合った垂直風路部１７との間に、本体ケース１における垂直方向に複数の水平風路１２が隣接して形成した水平風路部１８を備えたものである。ここで、本体ケース１における前後方向に複数の垂直風路１１が隣接して形成した垂直風路部１７の垂直風路部１７の本体ケース１における後面側の垂直風路１１の断面積は、本体ケース１における前面側の垂直風路１１の断面積より大きい構成としたものである。つまり、放熱器７側の垂直風路１１の断面積は、吸熱器９側の垂直風路１１の断面積より大きい構成としたものである。
【００３４】
すなわち、熱交換器１０の上面部１０ａおよび下面部１０ｂが傾斜しているため、放熱器７側の垂直風路１１の長さは、吸熱器９側の垂直風路１１の長さより長いので、放熱器７側の垂直風路１１の断面積は、吸熱器９側の垂直風路１１の断面積より大きい構成することにより、放熱器７側の垂直風路１１と吸熱器９側の垂直風路１１の風路抵抗の差を小さくすることができ、均一に複数の垂直風路１１に流れ易くなる。結果として、吸熱器９から熱交換器１０の水平風路１２を介して放熱器７に流れる空気と、熱交換器１０の垂直風路１１を流れる空気との熱交換効率を向上することができる。
【００３５】
また、第二の送風手段１４は、スクロール形状の第二のケーシング１４ａと、この第二のケーシング１４ａ内に設けられた第二の羽根１４ｂと、この第二の羽根１４ｂを回転させる第二の電動機１４ｃとから形成し、第二のケーシング１４ａの吸込口１４ｄの中心部は、吸熱器９の上部に位置する構成としたものである。具体的には、第二の送風手段１４である第二のケーシング１４ａの吸込口１４ｄは、放熱器７である下部放熱器７ｂと吸熱器９とに対向し、吸込口１４ｄの中心部は、吸熱器９の中央より上部に位置する構成としたものである。
【００３６】
すなわち、第二の送風手段１４によって、吸気口２から本体ケース１内に吸気した空気を熱交換器１０の垂直風路１１、吸熱器９、熱交換器１０の水平風路１２、放熱器７である下部放熱器７ｂ、第二の送風手段１４を順次介して第二の排気口４へと送風する。熱交換器１０の垂直風路１１から吸熱器９に流れる空気は、最初に、吸気口２から本体ケース１内に吸気した空気が、熱交換器１０の上面部１０ａより流入して、複数の垂直風路１１を介して、熱交換器１０の下面部１０ｂより流出する。次に、熱交換器１０の下方を通り、この熱交換器１０の下流側吸熱器側面部９ｂに隣接して配置された吸熱器９の下方を通り、吸熱器９の上流側吸熱器側面部９ａより、吸熱器９へ流入する。ここで、第二の送風手段１４である第二のケーシング１４ａの吸込口１４ｄの中心部が、吸熱器９の中央より上部に位置するので、吸熱器９の下方を通り、吸熱器９の上流側吸熱器側面部９ａに流入する空気が、吸熱器９の上部まで流れ易くなり、結果として、吸熱器９に空気が均一に流れ易くすることができる。
【００３７】
また、熱交換器１０は、熱交換器１０の上流側熱交換器側面部１０ｃから下流側熱交換器側面部１０ｄへ繋がる水平風路１２を複数備え、熱交換器１０の上部側の水平風路１２の断面積は、熱交換器１０の下部側の水平風路１２の断面積より大きい構成としたものである。具体的には、熱交換器１０は、本体ケース１における前後方向に複数の垂直風路１１が隣接して形成した垂直風路部１７が本体ケース１における左右方向に複数位置する。これらの隣り合った垂直風路部１７との間に、本体ケース１における垂直方向に複数の水平風路１２が隣接して形成した水平風路部１８を備えたものである。ここで、本体ケース１における上下方向に複数の水平風路１２が隣接して形成した水平風路部１８の水平風路部１８の本体ケース１における上面側の水平風路１２の断面積は、本体ケース１における下面側の水平風路１２の断面積より大きい構成としたものである。つまり、熱交換器１０の上部側の水平風路１２の断面積は、熱交換器１０の下部側の水平風路１２の断面積より大きい構成としたものである。
【００３８】
すなわち、熱交換器１０の上部側の水平風路１２の断面積は、熱交換器１０の下部側の水平風路１２の断面積より大きい構成とすることにより、熱交換器１０の上部側の水平風路１２の風路抵抗を小さくすることができ、吸熱器９の上流側吸熱器側面部９ａに流入する空気が、吸熱器９の上部まで流れ易くなり、結果として、吸熱器９に空気が均一に易くすることができる。
【産業上の利用可能性】
【００３９】
以上のように本発明は、吸気口と、第一、第二の排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記本体ケース内の前記放熱器と、前記吸熱器との間の空間に前記熱交換器を設け、前記吸気口から前記本体ケース内に吸気した空気を前記放熱器の一方部を介して前記第一の排気口へと送風する第一の送風手段と、前記吸気口から前記本体ケース内に吸気した空気を前記熱交換器、前記吸熱器、前記熱交換器、前記放熱器の他方部を順次介して前記第二の排気口へと送風する第二の送風手段とを設け、前記第一の排気口に、屋外と連通する連通手段を備えたものであるので、快適性の向上を図ることができる。
【００４０】
すなわち、除湿動作においては、まず、圧縮機で冷媒を高温高圧の気体状態にし、この冷媒が放熱器に流れる。そして、この放熱器を第一、第二の送風手段による送風で冷却することにより、冷媒は熱が奪われ液化する。次に、放熱器で液化された冷媒を膨張手段により低圧にすることによって気液２層状態にし、最後に、この気液２層状態の冷媒を吸熱器に流す。この吸熱器に第二の送風手段によって室内の空気を当て結露させることにより、除湿するものである。ここで、第二の送風手段によって室内の空気は、吸気口から熱交換器を介して吸熱器に流れ、再度熱交換器、放熱器を順次介して第二の排気口から室内に排気される。つまり、最初に室内の空気は、吸熱器から熱交換器を介して放熱器に流れる空気と、熱交換器で熱交換することにより冷却され、更に吸熱器で冷却されるので、熱交換器および吸熱器の両方で結露することにより除湿するものである。また、第一の送風手段によって、放熱器を冷却後温度上昇した空気は、第一の排気口から連通手段を介して屋外へ排気するものである。
【００４１】
つまり、室内温度の上昇を低減する共に、除湿効率の向上ができ、この結果、快適性を向上することができる。
【００４２】
従って、家庭用や事務用などの、除湿装置としての活用が期待されるものである。
【符号の説明】
【００４３】
１      本体ケース
２      吸気口
３      第一の排気口
４      第二の排気口
５      ヒートポンプ
６      圧縮機
７      放熱器
７ａ    上部放熱器
７ｂ    下部放熱器
８      膨張手段
９      吸熱器
９ａ    上流側吸熱器側面部
９ｂ    下流側吸熱器側面部
１０    熱交換器
１０ａ  上面部
１０ｂ  下面部
１０ｃ  上流側熱交換器側面部
１０ｄ  下流側熱交換器側面部
１１    垂直風路
１２    水平風路
１３    第一の送風手段
１４    第二の送風手段
１４ａ  第二のケーシング
１４ｂ  第二の羽根
１４ｃ  第二の電動機
１４ｄ  吸込口
１５    連通手段
１５ａ  パイプ
１５ｂ  断熱材
１６    ドレンパン
１７    垂直風路部
１８    水平風路部
【図１】
2011147836.tif 000003
【図２】
2011147836.tif 000004